(57)【要約】      （修正有）【課題】従来にない着心地のセーラー服などの上着を提供する。【解決手段】身頃部１と、身頃部１の左右から延ばされた袖部２とを備え、身頃部１と袖部２の夫々に裏地が設けられものである。袖部２の裏地における基端の肩から肘下までの間の上腕領域２２は、筒状の袖の周方向ａについて表地よりも大きな伸縮性を備えた周方向高伸縮裏地にて形成され、袖部２の裏地における肘下から袖口までの間の前腕領域２３は、袖丈方向ｂについて前記肩から肘下までの間よりも大きな伸縮性を備えた袖丈方向高伸縮裏地にて形成されたものである。【選択図】図１
0003185485.tif 000002
【実用新案登録請求の範囲】
【請求項１】
身頃部と、前記身頃部の左右から延ばされた袖部とを備え、前記身頃部と前記袖部の夫々に裏地が設けられた上着において、
前記袖部の裏地における基端の肩から肘下までの間の上腕領域は、筒状の袖の周方向について表地よりも大きな伸縮性を備えた周方向高伸縮裏地にて形成され、
前記袖部の裏地における肘下から袖口までの間の前腕領域は、袖丈方向について前記肩から肘下までの間よりも大きな伸縮性を備えた袖丈方向高伸縮裏地にて形成されたことを特徴とする上着。
【請求項２】
前記身頃部が、前身頃と、後身頃とを備え、
前記後身頃の裏地は、少なくとも横方向について表地よりも大きな伸縮性を備えた横方向高伸縮裏地にて形成されたものあることを特徴とする請求項１記載の上着。
【請求項３】
前記袖部の裏地の各部及び前記後身頃の裏地は、メッシュ地によって形成されたものであり、
前記袖部の裏地について、前記上腕領域は、布生地から経取りされたものであり、
前記袖部の裏地について、前記前腕領域は、布生地から緯取りされたものであることを特徴とする請求項２に記載の上着。
【請求項４】
前記袖部の裏地の各部及び前記後身頃の裏地は、ストレッチツイル地によって形成されたものであり、
前記前身頃部の裏地は、前記ストレッチツイル地よりも伸縮性が小さなツイル地によって形成されたものであり、
身頃部の首ぐりにセーラー襟を備えた、前身頃が左右に開かない被り型のセーラー服であることを特徴とする請求項３記載の上着。
【考案の詳細な説明】
【技術分野】
【０００１】
本願考案は、上着の改良に関するものであり、特に、セーラー服やその他の学生服、スーツ、ジャケット等の上着の改良に関する。
【背景技術】
【０００２】
特許文献に示すように、伸縮性の高いメッシュ生地を用いた上着が種々提案されている。
特許文献１には、肘の部分の裏地に、メッシュ生地を配置した上着が示されており、特許文献２には、肘よりも上の部分の裏地に、メッシュ生地を配置した上着が示されている。
特許文献１、２の上着においては、腕を動かす際に、メッシュ生地が伸びることによって、腕等の身体の運動の自由度を高めることを期す。
【０００３】
具体的には、特許文献１に示されたスーツは、上着とスラックスとから構成されるものであって、身体の大きく変動する関節部の肩部及び肘部並びに膝部の皮膚表皮に接触するスーツの当該部分に伸縮性を有する伸縮生地の裏地を縫着して、タックを設けずに、着用時の動きやすさを向上させ良好な着心地与えようとしたものである。
しかし、伸縮生地は、従来の裏地と比較して滑り性が劣るため、上着を着用して腕や肩を動かした際に、特に肘を屈伸させた際に、伸縮裏地が袖に引っ掛かるとともに、肘が後方へ引っ張られるように感じられ、着用感の低下が危惧されるとされた。
【０００４】
特許文献１の上記問題の改善を目的として、特許文献２に示された上着は、身頃部と、上記身頃部の左右の袖ぐりに縫着される袖部とを備えたものであって、表地と裏地とを備え、前記裏地は、上腕裏地を含み、前記上腕裏地は、伸縮性を有するメッシュ生地で形成されたものであり、前記上腕裏地は、前記袖部の裏側において、前記袖部の基端側から二の腕（上腕部）に配設され、肘には配設されていない。
このような構成により、特許文献２に示されたものでは、伸縮性を有するメッシュ生地の伸びと肘の滑りとを利用して、上着を着用して腕の曲げ伸ばしや上げ下ろし等の腕や肩を動かす際に袖部に生じる裏地の突っ張りを抑えることができる上着を提供することを可能とし、上着の袖部における着用時の動きやすさを改善するとともに着用時に生じうる袖部の窮屈感を抑え、着用者に良好な着用感を与えることができたとされている。
【０００５】
一方、本願考案者は、上記各特許文献に掲げられた上着に満足することなく、上記各特許文献の上着と更に異なる着心地の良さを備えた上着を提供できないか鋭意検討した。
【０００６】
また、特許文献２の上着では、着用後の腕の動きによって上腕部の裏地が袖丈方向について縮み、伸縮しない裏地の袖と共に表地が、袖丈方向について上方へ、たくし上げられた状態となることがある。袖通しの滑りの良さが、逆に腕の後退する方向への滑りやすさともなっているのであり、上腕部の伸縮性により、動いている間に裏地の上腕部が縮んで、裏地の前腕部側が上腕部側へたぐり寄せられた状態となり易い。袖口に近い裏地の前腕部で縮めば袖口を引っ張って比較的簡単に前腕部の裏地を伸ばすことができるが、上腕部で縮んだ場合、前腕部裏地に滑りの良い生地を採用したとしても、たくし上げられた状態の袖部をスムーズに引き下ろすのは困難である。
【０００７】
更に、着用動作について、スーツやブレザーなどの前開きの上着では、前を開いて片腕ずつ袖の伸びる斜め下方へ腕を伸ばして袖に腕を通して行くことができる。しかし、セーラー服のように前閉じで頭から被って着用するのが一般的な上着では、当初から袖部の伸びる方向に沿って腕を差し込むという動作が困難であり、裏地の上腕に伸縮性を有するメッシュ生地を用いたとしても、極めて窮屈な思いをして、着用動作を行うことを強いられる。
即ち、頭部からセーラー服を被った状態において腕を伸ばす方向は制限され、当初から下方に向いている袖に沿って腕を伸ばすのは困難であり、腕を上方や真横に伸ばして袖部裏地の上腕部へ挿入して行くという、不自然な動作が必要である。横方向即ち筒状の袖の周方向について裏地が伸びてくれると、このような腕の動きを幾分行い易いものとすることができる。しかし、上腕部裏地の袖丈方向の伸縮性については、当該裏地が袖丈方向へ伸びて、袖部上腕部へ差し入れた手先に当該裏地が纏わりつき、手先を袖部の前腕部内へ移行させるまでが面倒である。手先を袖部の前腕部内へ移行させてしまえば、腕を下方へ伸ばす動作は容易になるので纏わりついたとしても袖口から手先を出すのは簡単である。従って、裏地の前腕部では、袖部の周方向の伸縮性や滑り性は必ずしも重要ではなく、寧ろ袖丈方向について伸縮するほうが、伸びない生地に引っ張られるよりも袖通しの違和感が小さい。
上記の各特許文献が想定しているスーツなどの前開きの上着では、前閉じのセーラー服において顕著な上記問題を緩和するための工夫がなされているとは言い難いのである。
【０００８】
特にセーラー服は、女子学生の制服として、我が国において多用されており、種々の提案がなされており、前開きのものもあるが、冬物のセーラー服において、前閉じの被り型のものが主流であり、上記の問題の解決が切望されている。
【先行技術文献】
【特許文献】
【０００９】
【特許文献１】登録実用新案第３１５５７０４号公報
【特許文献２】登録実用新案第３１６７５７０号公報
【考案の概要】
【考案が解決しようとする課題】
【００１０】
本願考案は、上記問題を鑑み、動き易さの工夫がなされた上着において、従来にない着心地のものを提供することを目的とする。
また、本願考案は、着用後、袖部の裏地が上腕からたくし上げられた状態となることを抑制することを目的とする。
更に、本願考案は、着用動作において腕の曲げ伸ばしが著しく制限される、前閉じで頭から被るセーラー服において、着用動作の行い難さを緩和することを目的とする。
【課題を解決するための手段】
【００１１】
本願考案は、身頃部と、前記身頃部の左右から延ばされた袖部とを備え、前記身頃部と前記袖部の夫々に裏地が設けられた上着において、前記袖部の裏地における基端の肩から肘下までの間の上腕領域は、筒状の袖の周方向について表地よりも大きな伸縮性を備えた周方向高伸縮裏地にて形成され、前記袖部の裏地における肘下から袖口までの間の前腕領域は、袖丈方向について前記肩から肘下までの間よりも大きな伸縮性を備えた袖丈方向高伸縮裏地にて形成されたことを特徴とする上着を提供する。
また、本願考案では、前記身頃部が、前身頃と、後身頃とを備え、前記後身頃の裏地は、少なくとも横方向について表地よりも大きな伸縮性を備えた横方向高伸縮裏地である上着を提供し得た。
更に本願考案では、前記袖部の裏地の各部及び前記後身頃の裏地は、メッシュ地によって形成されたものであり、前記袖部の裏地について、前記上腕領域は、布生地から経取りされたものであり、前記袖部の裏地について、前記前腕領域は、布生地から緯取りされたものである上着を提供し得た。
また更に、本願考案では、前記袖部の裏地の各部及び前記後身頃の裏地が、ストレッチツイル地から形成されたものであり、前記前身頃部の裏地は、前記ストレッチツイル地よりも伸縮性が小さなツイル地から形成されたものであり、前記身頃部の首ぐりにセーラー襟を備えた、前身頃が左右に開かない被り型のセーラー服である上着を提供し得た。
【考案の効果】
【００１２】
本願考案は、袖部の裏地について、上腕部の裏地を筒状の袖部の周方向に伸縮性を有するものとし、従来にない着心地を実現した。特にセーラー服では、定型のデザインからの変更の余地が少なく他社商品との差別化を図って新たな需要を喚起するということが困難な中、従来にない斬新な着心地のものを提供し、産業の発達に寄与することができる。
また、本願考案は、セーラー服をはじめ、その他の学生服、スーツ、ブレザーやジャケットなどの上着において、着用後に、袖部の裏地が上腕部からたくし上げられた状態となるのを緩和することを可能とする。
特に、本願考案は、前閉じで頭から被って着用するセーラー服において顕著であった、着用の際の裏地に拘束される違和感を緩和することができる。
また、本願考案において、袖部の二の腕の部分（上腕部）の裏地を、ストレッチツイル地から経取りすることにて形成し、袖部の上腕部裏地を筒状の裏地の周方向即ち筒状の裏地の径の内外方向について伸縮性の大きなものとし、袖内部へ手先から腕を通す過程で、最初に手が挿入される当該部分での手の自由を当該周方向への伸縮性によって比較的確保し易いものとでき、袖部の一の腕の部分（前腕部）の裏地を、ストレッチツイル地を緯取りすることにて形成することにより、袖部の前腕部裏地を上腕部よりも袖丈方向についての伸縮性を大きなものとでき、着用後の腕の動きによるたくし上げられた状態を前腕部にとどめて、袖部を伸ばし易いものとした。
【図面の簡単な説明】
【００１３】
【図１】（Ａ）は本願考案に係る一実施の形態を示すセーラー服の一部展開正面図、（Ｂ）は当該セーラー服の着用動作を示す説明図。
【図２】（Ａ）は図１（Ｂ）に続く前記セーラー服の着用動作を示す説明図、（Ｂ）は前記セーラー服の着用動作の完了を示す説明図。
【考案を実施するための形態】
【００１４】
以下、図面に基づき本願考案の実施の形態を説明する。尚、図１（Ｂ）及び図２において、一点鎖線は服に隠れた身体を示す。各図において、細い矢印は裏地の伸縮の方向を示し、太い矢印は腕を動かす方向を示している。
【００１５】
（基本構成）
図１及び図２へ示す通り、本願考案に係るセーラー服は、身頃部１と、前記身頃部１の左右から延ばされた袖部２とを備え、身頃部１と袖部２の夫々に裏地１１，２１が設けられている。このセーラー服は、身頃部の首ぐりにセーラー襟を備えた、前身頃が左右に開かない被り型のものである。
各図において、１０は身頃部１の表地を、１１は身頃部１の裏地を、２０は袖部２の表地を、２１は袖部２の裏地を示す。各図において、袖部２の表地２０の大部分を除いた状態に描いている。
身頃部１各部及び袖部２は、定法に従い、表地と裏地とを縫製したものであり、表地は、羊毛や、羊毛と合成繊維との混紡など、一般のセーラー服やその他の学生服の生地と同様の生地によって構成される。
【００１６】
（身頃部１）
身頃部１は、上半身の主として正面を覆う前身頃と、上半身の主として背面を覆う後身頃とを備える。前身頃と後身頃は縫い合わされて身頃部１を形成する。
各図において、１２は身頃部１の裏地１１のうち上記前身頃の裏地を示し、１３は身頃部１の裏地１１のうち上記後身頃の裏地を示す。
このセーラー服は、後身頃の裏地１３に、見頃部の表地よりも少なくとも横方向について伸縮性を有する伸縮性裏地を採用する。後身頃の裏地１３に、当該伸縮性を備えたものを採用することによって、特に前閉じで頭から被って着用するセーラー服の着用において、後述する袖部２の裏地２１の伸縮性と協調して、着用時の拘束感を緩和することができる。
【００１７】
上記の伸縮性裏地としては、メッシュ生地などの高伸縮裏地を採用するのが好ましい。
一方、この例において、前身頃の裏地１２には、上記伸縮性裏地ではなく、普通裏地を採用している。普通裏地は、ツイル地、タフタ地、スレーキ地、サテン地、カルゼ地、フランス綾地、トリコット地などによって構成されるもので、滑り性の高いものが望ましい。
【００１８】
上記高伸縮裏地として採用する、メッシュ生地には、上記普通裏地よりも高い伸長率を有するものであり、具体的には、１０％以上の伸長率を有するものが望ましい。
伸長率が１０％未満であると、着用して腕や身体を動かす際に、突っ張り感を抑制するのに必要な伸びが得られない場合がある。尚、伸長率は、（ｗ２−ｗ１）／ｗ１×１００で求められる。伸長率は、後身頃の裏地１２即ち背裏地では左右横方向への伸びとする。ｗ１は伸ばす前の生地の長さ、ｗ２は伸ばした後の生地の長さとする。
この例では、前身頃の裏地１２にはツイルを、後身頃の裏地１３にはストレッチツイルを採用する。
【００１９】
（袖部２）
袖部２は長袖であり、袖部２の裏地２１は、袖部２の基端の肩から肘下までの間を構成する上腕領域２２と、肘下から袖口までの間を構成する前腕領域２３とを備える。
（上腕領域２２）
この例では、上腕領域２２は、筒状の袖の周方向ａについて表地よりも大きな伸縮性を備えた周方向高伸縮裏地にて形成されている。周方向高伸縮裏地には、上記背裏地と同様、メッシュ生地を採用するのが望ましい。この例では、周方向高伸縮裏地として、ストレッチツイル地から生地を経取りしたものを採用する。周方向高伸縮裏地において、伸長率は、筒状の裏地の周方向ａへの伸びとする。
（前腕領域２３）
前腕領域２３は、袖丈方向ｂについて前記肩から肘下までの間よりも大きな伸縮性を備えた袖丈方向高伸縮裏地にて形成されている。袖丈方向高伸縮裏地も、上記背裏地と同様、メッシュ生地を採用するのが望ましい。この例では、袖丈方向高伸縮裏地として、ストレッチツイル地から生地を緯取りしたものを採用する。袖丈方向高伸縮裏地において、伸長率は、裏地の袖丈方向ｂへの伸びとする。
【００２０】
（着用動作）
このセーラー服は、図１（Ｂ）に示す通り、頭に被って、首ぐり（襟ぐり）から頭部を露出させる。腕は先ず横に動かして上腕領域２２に収容する。この上腕領域２２の周方向高伸縮裏地の袖周方向への伸びを利用して、図２（Ａ）へ示すように、手先を袖部２の裏地２１の前腕領域２３へ向ける。上腕領域２２は袖丈方向ｂについての伸びは大きくないので、袖丈方向ｂについて手先に纏わりついてくることなく、前腕領域２３へ手先を入れて行くことができる。図２（Ｂ）へ示す通り、上腕領域２２で比較的自由に手先の向きを袖丈方向ｂへ向けることができるので、前腕領域２３で手先は袖口に向け、袖丈方向ｂに沿って容易に伸ばすことができる。前腕領域２３における袖部２の周方向についての伸びは上腕領域２２のように大きくないので、手先がぶれずに袖丈方向ｂに沿って伸ばすことができる。
着用後は、袖丈方向ｂについて、前腕領域２３ほど伸縮しない上腕領域２２と前腕領域２３の袖丈方向ｂの伸縮性とにより、上腕領域２２からたくし上げられた状態となり難い。即ち、袖丈方向ｂについて前腕領域２３ほど伸縮しない上腕領域２２と相まって、前腕領域２３における袖丈方向ｂへの伸縮性により、相対的に前腕領域２３からたくし上げられた状態になることにて、上腕領域２２からたくし上げられた状態となり難いものとなっている。袖口に近い、前腕領域２３からたくし上げられた状態になっても、袖口を引き下げることにて容易に袖部を伸ばすことができる。
【００２１】
（変更例）
上記のセーラー服の他、詰襟などのセーラー服以外の学生服、スーツ、ブレザーやジャケットなどの上着にて本願考案を実施することができる。
【符号の説明】
【００２２】
１  身頃部
２  袖部
１１  身頃部１の裏地
１２  前身頃の裏地
１３  後見頃の裏地
２０  袖部２の表地
２１  袖部２の裏地
２２  袖部２の上腕領域の裏地
２３  袖部２の前腕領域の裏地
ａ  袖部２の周方向
ｂ  袖部２の袖丈方向
【図１】
0003185485.tif 000003
【図２】
0003185485.tif 000004